(57)【要約】【課題】通信速度に応じてダウンロードを中断または再開することで、データを無駄なく取得することができる無線通信システムを提供する。【解決手段】サーバ１は第１の基地局３を介して携帯端末２にデータのダウンロードを行う。携帯端末２の、第１の基地局３に対するＣＩＲ値やデータ伝送レートが各々設定した閾値を下回ったとき、携帯端末２は第１の基地局３との通信を切断してダウンロードを中断する。第１の基地局３は携帯端末２が未取得のデータをサーバ１から受信し、バッファに格納してバックアップを開始する。その後、携帯端末２の、第１の基地局３に対するＣＩＲ値やデータ伝送レートが各々設定した閾値を上回ったとき、携帯端末２は第１の基地局３と無線接続する。そして第１の基地局３は、バッファに格納していた、携帯端末２が未取得のバックアップデータを携帯端末２に送信する。【選択図】      図１
2004297479.tif 000002
【特許請求の範囲】
【請求項１】
無線基地局と無線通信接続し、前記無線基地局とネットワークで接続されたサーバにデータのダウンロードを要求するダウンロード要求手段を有する携帯通信端末において、
前記無線基地局との現在の通信品質値を測定する通信品質測定手段と、
前記無線基地局との通信品質のしきい値を記憶するしきい値記憶手段と、
前記通信品質測定手段により測定した現在の通信品質値と、前記しきい値記憶手段により記憶した通信品質のしきい値とを比較する比較手段と、
前記比較手段により比較した結果、測定した前記通信品質値が前記しきい値より小さい場合に、前記ダウンロード要求手段によって要求した前記データのダウンロードを中断する中断手段と、
前記中断手段によりダウンロードを中断した際に、前記データの中断ポイントを記憶する中断ポイント記憶手段と、
前記中断手段により前記データのダウンロードを中断した後、前記比較手段で比較した結果、測定した現在の通信品質値が前記しきい値以上の場合、前記中断ポイント記憶手段に記憶された前記中断ポイントからデータの再送要求を行うデータ再送要求手段と
を有する携帯通信端末。
【請求項２】
サーバとネットワークで接続し、携帯通信端末と無線接続をする無線基地局において、
前記携帯通信端末の要求に基づき前記サーバにデータのダウンロードを要求するデータ要求手段と、
前記データ要求手段により要求した前記データを記憶する記憶手段と、
前記記憶手段により記憶した前記データを前記携帯通信端末に送信する送信手段と、
前記送信手段による前記携帯通信端末への送信が中断した場合に、中断ポイントを記録しつつ、引き続き前記サーバからデータを受信して記憶する制御手段とを備え、
前記送信手段は、前記携帯通信端末からの再送要求があった場合に、前記制御手段で記憶した中断ポイントからデータを送信する
ことを特徴とする無線基地局。
【請求項３】
前記送信手段による前記携帯通信端末への送信が中断し、かつ他の無線基地局からの要求があった場合、前記記憶手段で記憶した前記サーバからのデータを、前記他の無線基地局に送信する
ことを特徴とする請求項２記載の無線基地局。
【請求項４】
サーバと、前記サーバとネットワークで接続された無線基地局と、前記無線基地局と無線通信接続し、前記サーバからのデータをダウンロードする携帯通信端末とを有する無線通信システムにおいて、
前記携帯通信端末は、
前記無線基地局との現在の通信品質値を測定する通信品質測定手段と、
前記無線基地局との通信品質のしきい値を記憶するしきい値記憶手段と、
前記通信品質測定手段により測定した現在の通信品質値と、前記しきい値記憶手段により記憶した通信品質のしきい値とを比較する比較手段と、
前記比較手段により比較した結果、測定した前記通信品質値が前記しきい値より小さい場合に、前記サーバに要求した前記データのダウンロードを中断する中断手段と、
前記中断手段によりダウンロードを中断した際に、前記データの中断ポイントを記憶する中断ポイント記憶手段と、
前記中断手段により前記データのダウンロードを中断した後、前記比較手段で比較した結果、測定した現在の通信品質値が前記しきい値以上の場合、前記中断ポイント記憶手段に記憶された前記中断ポイントからデータの再送要求を行うデータ再送要求手段とを有し、
前記無線基地局は、
前記携帯通信端末の要求に基づき前記サーバにデータのダウンロードを要求するデータ要求手段と、
前記データ要求手段により要求した前記データを記憶する記憶手段と、
前記記憶手段により記憶した前記データを前記携帯通信端末に送信する送信手段と、
前記送信手段による前記携帯通信端末への送信が中断した場合に、中断ポイントを記録しつつ、引き続き前記サーバからデータを受信して記憶する制御手段とを備え、
前記送信手段は、前記携帯通信端末からの再送要求があった場合に、前記制御手段で記憶した中断ポイントからデータを送信する
ことを特徴とする無線通信システム。
【発明の詳細な説明】
【０００１】
【発明の属する技術分野】
本発明は、携帯通信端末を用いてサーバからデータをダウンロードする無線通信システムに関する。
【０００２】
【従来の技術】
近年、次世代の高速無線通信方式としてｃｄｍａ２０００  １ｘ  ＥＶ−ＤＯ方式が開発されている。ｃｄｍａ２０００  １ｘ  ＥＶ−ＤＯ方式では、携帯通信端末から受信した受信状態を通知する情報に基づいて、基地局が当該端末へ送信するデータの変調方式を切り替えることにより、当該端末の受信状態が良好な時は、誤り耐性が低いが高速な通信レート、受信状態が悪いときは、低速だが誤り耐性の高い通信レートを使用することが可能となっている。
【０００３】
ｃｄｍａ２０００  １ｘ  ＥＶ−ＤＯ方式では、予測や過去の下りデータ伝送の誤り率等の統計データによる補正等を考慮して求められた極めて正確なデータ通信速度を直接的に示す、予測下りデータ通信速度（ＤＲＣ；Ｄａｔａ  Ｒａｔｅ  Ｃｏｎｔｒｏｌ  Ｂｉｔ）をテーブルとして端末側が備え、このテーブルに基づいて、上記予測下りデータ通信速度を端末から前記基地局へ通知するようになっている。
基地局では、すべての端末からのＤＲＣ情報に基づいてスケジューリングを行い、下りリンクでデータを送信する端末を決定し、要求されたレートでデータを送信する。このスケジューリングとは、同一セクタに複数の端末が存在する場合、それぞれの電波受信状況に応じて、もっともチャネル環境がよい端末にデータを送信することであり、端末数が多いほどセクタ全体でのスループットは増加し、基地局は効率的なデータ送信を行うことができる。これにより、上記した種々の通信レートでのデータ通信が行われる。
【０００４】
また、ｃｄｍａ２０００  １ｘ  ＥＶ−ＤＯ方式の下り方向（基地局から携帯通信端末への方向）では、時間を１／６００秒単位で分割し、その時間内では一つの携帯通信端末だけとの通信を行い、通信相手の携帯通信端末を時間により切り替えることにより複数の携帯通信端末と通信を行う、時分割多重アクセス（ＴＤＭＡ；ｔｉｍｅ  ｄｉｖｉｓｉｏｎ  ｍｕｌｔｉｐｌｅｘ  ａｃｃｅｓｓ）を採用している。これにより、常に、個々の携帯通信端末に対して最大の電力を持ってデータ送信を行うことが可能となり、携帯通信端末間で行うデータ通信を最速の通信速度で行うことができる。
【０００５】
このように、上述したｃｄｍａ２０００  １ｘ  ＥＶ−ＤＯ方式は、基地局から携帯通信端末への方向のデータ通信速度が携帯通信端末における受信状態（例えば受信電界強度、搬送波対干渉比＝ＣＩＲ）によって大きく変化する、ベストエフォート型の無線パケットデータ通信システムということができる。
【０００６】
ところで、従来の携帯通信端末は、サーバからデータをダウンロードする際、ダウンロードを行おうとするファイルに対して予約を行い、予め設定した通信速度が得られると判断した場合にそのファイルを自動的にダウンロード開始する。もしくは、ダウンロード開始が可能になったことをサーバに通知すると共に、設定された時間を経過してもダウンロード開始に至らない場合はその旨をサーバに通知する（例えば、特許文献１参照）。
また、携帯通信端末が受信データの誤りをカウントして誤り率を演算し、実効伝送速度が所定の閾値より低下した場合に警告を発してユーザに通知するものもある。
【０００７】
【特許文献１】
特開２００２−３００６４９号公報
【０００８】
【発明が解決しようとする課題】
しかしながら、特許文献１における技術では、予め設定した通信速度が得られると判断された場合にそのファイルをダウンロード開始するが、ダウンロードを開始してその途中に通信速度が閾値を下回る状態になっても、その通信状態でダウンロードを続けざるを得ない。つまり、一度ダウンロード開始すると、途中で通信速度が閾値より低下しようともそれに対応する手段を考慮していない。そのため、本来意図していたものとは違った結果になる恐れがある。
また、特許文献２における技術では、通信を開始してからでないと伝送速度が分からないため、伝送速度が低下している状態でも通信を開始してしまう。また、伝送速度が低下してエラーが高くなった場合には警告を発するが、ダウンロードを中止する処理を行わないので無駄な通信費がかかってしまう。また、使用者がダウンロードを中止しても再度初めからダウンロードを開始しなければならず、最初に取得したデータが無駄になってしまう。また、通信品質を判断するためには回線との接続を繰り返さなければならず、無駄な通信費がかかることになる。
この発明はこのような点を鑑みてなされたもので、通信速度が悪化したらデータのダウンロードを中断し、通信速度が良好になりダウンロードを再開する時は、中断した続きのデータからダウンロードすることができる無線通信システムを提供することを目的としている。
【０００９】
【課題を解決するための手段】
上記した目的を達成するために、請求項１記載の携帯通信端末は、無線基地局と無線通信接続し、前記無線基地局とネットワークで接続されたサーバにデータのダウンロードを要求するダウンロード要求手段を有する携帯通信端末において、前記無線基地局との現在の通信品質値を測定する通信品質測定手段と、前記無線基地局との通信品質のしきい値を記憶するしきい値記憶手段と、前記通信品質測定手段により測定した現在の通信品質値と、前記しきい値記憶手段により記憶した通信品質のしきい値とを比較する比較手段と、前記比較手段により比較した結果、測定した前記通信品質値が前記しきい値より小さい場合に、前記ダウンロード要求手段によって要求した前記データのダウンロードを中断する中断手段と、前記中断手段によりダウンロードを中断した際に、前記データの中断ポイントを記憶する中断ポイント記憶手段と、前記中断手段により前記データのダウンロードを中断した後、前記比較手段で比較した結果、測定した現在の通信品質値が前記しきい値以上の場合、前記中断ポイント記憶手段に記憶された前記中断ポイントからデータの再送要求を行うデータ再送要求手段とを有する。
【００１０】
請求項２記載の無線基地局は、サーバとネットワークで接続し、携帯通信端末と無線接続をする無線基地局において、前記携帯通信端末の要求に基づき前記サーバにデータのダウンロードを要求するデータ要求手段と、前記データ要求手段により要求した前記データを記憶する記憶手段と、前記記憶手段により記憶した前記データを前記携帯通信端末に送信する送信手段と、前記送信手段による前記携帯通信端末への送信が中断した場合に、中断ポイントを記録しつつ、引き続き前記サーバからデータを受信して記憶する制御手段とを備え、前記送信手段は、前記携帯通信端末からの再送要求があった場合に、前記制御手段で記憶した中断ポイントからデータを送信することを特徴とする。
【００１１】
請求項３記載の発明は、請求項２記載の無線基地局において、前記第１の送信手段による前記携帯通信端末への送信が中断し、かつ他の無線基地局からの要求があった場合、前記記憶手段で記憶した前記サーバからのデータを、該無線基地局に送信することを特徴とする。
【００１２】
請求項４記載の発明は、サーバと、前記サーバとネットワークで接続された無線基地局と、前記無線基地局と無線通信接続し、前記サーバからのデータをダウンロードする携帯通信端末とを有する無線通信システムにおいて、前記携帯通信端末は、前記無線基地局との現在の通信品質値を測定する通信品質測定手段と、前記無線基地局との通信品質のしきい値を記憶するしきい値記憶手段と、前記通信品質測定手段により測定した現在の通信品質値と、前記しきい値記憶手段により記憶した通信品質のしきい値とを比較する比較手段と、前記比較手段により比較した結果、測定した前記通信品質値が前記しきい値より小さい場合に、前記サーバに要求した前記データのダウンロードを中断する中断手段と、前記中断手段によりダウンロードを中断した際に、前記データの中断ポイントを記憶する中断ポイント記憶手段と、前記中断手段により前記データのダウンロードを中断した後、前記比較手段で比較した結果、測定した現在の通信品質値が前記しきい値以上の場合、前記中断ポイント記憶手段に記憶された前記中断ポイントからデータの再送要求を行うデータ再送要求手段とを有し、前記無線基地局は、前記携帯通信端末の要求に基づき前記サーバにデータのダウンロードを要求するデータ要求手段と、前記データ要求手段により要求した前記データを記憶する記憶手段と、前記記憶手段により記憶した前記データを前記携帯通信端末に送信する送信手段と、前記送信手段による前記携帯通信端末への送信が中断した場合に、中断ポイントを記録しつつ、引き続き前記サーバからデータを受信して記憶する制御手段とを備え、前記送信手段は、前記携帯通信端末からの再送要求があった場合に、前記制御手段で記憶した中断ポイントからデータを送信することを特徴とする。
【００１３】
【発明の実施の形態】
以下、図面を参照して本発明の実施の形態を説明する。
図１は、本発明の一実施形態に係るｃｄｍａ２０００  １ｘ  ＥＶ−ＤＯ方式を採用した無線通信システムの概略構成を示すブロック図である。１はダウンロード元のデータを格納したサーバ、２は携帯端末（携帯通信端末）、３は第１の基地局、４は第２の基地局である。携帯端末２は基地局３、４と無線接続可能であり、サーバ１と基地局３、４は通信網Ｎで接続されている。
【００１４】
ここで携帯端末２の概略構成を図７に示す。図７において、２１はＣＰＵ（ダウンロード要求手段、比較手段、中断手段、データ再送要求手段）であり、携帯端末２装置各部を制御する。２２はＲＦ処理部（通信品質測定手段）であり、電波を送受信し、信号の品質を測定する。２３はキー操作部、２４は表示部、２５は音声処理部、２６はＲＯＭ、２７はＲＡＭである。２８はメモリ部（しきい値記憶手段、中断ポイント記憶手段）である。
【００１５】
次に、上記構成の動作について説明する。まず、携帯端末２と第１の基地局３との接続の動作について図２を参照して説明する。ユーザは携帯端末２に、ダウンロードしたいデータのアドレスを登録してダウンロードの予約をする。またユーザは、携帯端末２の通信品質の閾値を設定する（ステップＳ２００）。本実施形態ではＣＩＲ値の閾値を閾値ａ、基地局がスケジューリングした際に決定した伝送レートの閾値を閾値ｂに設定する。次に、携帯端末２は通信待受状態であるか判断し（ステップＳ２０１）、待受状態でない場合は（ステップＳ２０１で「Ｎｏ」）、待受状態を開始する（ステップＳ２０２）。次に、待受中である（ステップＳ２０３）携帯端末２は、第１の基地局３に位置情報などの端末情報を送信する。第１の基地局３はその端末情報を取得し（ステップＳ３０１）、他の基地局から携帯端末２についての情報が発信されているか判断する（ステップＳ３０２）。他の基地局から携帯端末２の情報が発信されている場合（ステップＳ３０２で「Ｙｅｓ」）、第１の基地局３は基地局追従動作を行い（ステップＳ３０４）、ステップＳ３０７の動作に移る。この基地局追従動作については後に述べる。そうでない場合は（ステップＳ３０２で「Ｎｏ」）、ステップＳ３０３の処理に進む。
【００１６】
他方、携帯端末２は第１の基地局３から送信される電波の強度を毎秒６００回測定し、この電波強度の値からパイロット信号のＣＩＲ値（Ｃａｒｒｉｅｒ  ｔｏ  Ｉｎｔｅｒｆｅｒｅｎｃｅ  ｒａｔｉｏ：搬送波対干渉比）を算出する。そして携帯端末２は閾値ａと算出したＣＩＲ値とを比較する（ステップＳ２０４）。閾値ａに対してＣＩＲ値が大きいもしくは等しい場合（ステップＳ２０４で「Ｙｅｓ」）、携帯端末２はユーザに接続確認の通知を行い（ステップＳ２０６）、第１の基地局３との接続を行う（ステップＳ２０７）。そうでない場合は（ステップＳ２０４で「Ｎｏ」）、待受け状態を維持する（ステップＳ２０５）。
【００１７】
ステップＳ２０７で第１の基地局３と無線接続をした携帯端末２は、あらかじめ備えているテーブルを用いて、算出したＣＩＲ値から対応する予測ＤＲＣ値に置き換え、第１の基地局３に送信する（ステップＳ２０８）。第１の基地局３は、携帯端末２と、第１の基地局３に無線接続している他の端末と、ステップＳ２０８で送信された予測ＤＲＣ値に基づいてスケジューリングを行い（ステップＳ３０３）、携帯端末２に最適な伝送レートを決定する。携帯端末２は決定した伝送レートで第１の基地局３と無線接続を行う（ステップＳ２０９）。
【００１８】
次にデータのダウンロードを行う動作について図３を参照して説明する。携帯端末２は、ステップＳ２００でダウンロードの予約をしたデータのアドレスを第１の基地局３に送信する（ステップＳ２１０）。第１の基地局３は、自身のバッファに前回のダウンロードデータのバックアップがないか判断する（ステップＳ３０５）。これは、もし前回のダウンロードにおいて、携帯端末２が通信切断などで途中終了してしまった場合、ダウンロードデータのバックアップが第１の基地局３のバッファに残っているからである。バックアップが残っていない場合（ステップＳ３０５で「Ｎｏ」）、第１の基地局３は新規データのダウンロードとして、ステップＳ２１０で携帯端末２から送信されたアドレスを有するサーバ１との接続を行う（ステップＳ３０６）。バックアップが残っている場合（ステップＳ３０５で「Ｙｅｓ」）、第１の基地局３は前回のダウンロードデータを継続してダウンロードする（ステップＳ３０７）。ダウンロードの継続動作は後に述べる。
サーバ１は、携帯端末２から送信されたアドレスに対応するデータを送信する（ステップＳ１０３）。第１の基地局３は、サーバ１が送信したデータのバイパスと基地局内でのバッファリングを行い（ステップＳ３０８）、携帯端末２にそのデータを送信する。
【００１９】
携帯端末２は第１の基地局３からそのデータを受信し（ステップＳ２１１）、第１の基地局３に対するＣＩＲ値やデータ伝送レートが、それぞれ閾値ａ、閾値ｂを下回っていないか判断する（ステップＳ２１２）。ＣＩＲ値が閾値ａを上回っている場合、またはデータ伝送レートが閾値ｂを上回っている場合（ステップＳ２１２で「Ｙｅｓ」）、携帯端末２はデータの受信を継続する（ステップＳ２１３）。サーバ１がデータの送信完了を通知すると（ステップＳ１０４）、第１の基地局３はサーバ１からのデータ受信を完了し、携帯端末２にデータの受信完了を通知する（ステップＳ３０９）。その通知を受けた携帯端末２はデータの受信を完了し、受信したデータのアドレスを廃棄する（ステップＳ２１４）。そして再度待受状態にする（ステップＳ２１５）。
ＣＩＲ値が閾値ａを下回っている場合、かつデータ伝送レートが閾値ｂより低い場合（ステップＳ２１２で「Ｎｏ」）、後に述べる通信切断処理を行う（ステップＳ２１６）。
【００２０】
次に、ステップＳ２１６における通信切断処理の動作について、図４を参照して説明する。ＣＩＲ値が閾値ａを下回っている場合、かつデータ伝送レートが閾値ｂより低い場合に、携帯端末２は、ダウンロードして取得したデータの情報を自端末の記憶部に記録する（ステップＳ２３１）。そして携帯端末２は、その取得済みデータの情報を第１の基地局３に送信する（ステップＳ２３２）。次に携帯端末２は、その取得済みデータを自端末の記憶部に一時格納する（ステップＳ２３３）。
第１の基地局３は、ステップＳ２３２で携帯端末２から送信された取得済みデータの情報を基に、携帯端末２が未取得のデータをデータ送信中（ステップＳ１０３）のサーバ１から受信し、バッファに格納してバックアップを開始する（ステップＳ３１０）。第１の基地局３は、サーバ１からのデータ送信が完了しバッファにデータを取得するまで、サーバ１と接続している。
一方、携帯端末２は第１の基地局３との切断処理を行う（ステップＳ２３４）。それを受けて第１の基地局３は、ステップＳ３１０の処理と平行して、携帯端末２との切断処理を行う（ステップＳ３１１）。
切断処理が完了した携帯端末２は、再度待受状態になる（ステップＳ２３５）。一方、サーバ１がデータの送信完了を通知すると（ステップＳ１０４）、第１の基地局３はサーバ１からのデータ受信を完了する（ステップＳ３１２）。以上により、携帯端末は、ダウンロード中に基地局との通信を切断しても、後で基地局と再接続したときに、残りのデータ分だけ受信することができる。
【００２１】
次に、ステップＳ３０４における基地局追従動作について、図５を用いて説明する。これは、携帯端末２が移動したことで、携帯端末２が前回まで接続していた基地局と通信切断してしまった場合である。本実施例では、前回まで接続していた基地局を第２の基地局４とする。
サーバ１からデータを受信中に携帯端末２との接続が切断された第２の基地局４は、サーバ１からデータをすべて受信する（ステップＳ４０２）。受信完了後、第２の基地局４は、近接した複数の基地局に対して携帯端末２の情報を発信する（ステップＳ４０３）。
第２の基地局４から離れたところに移動したため、第２の基地局４との接続が切断された携帯端末２は第１の基地局３において待受状態であり（ステップＳ２４０）、近接した第１の基地局３に、位置情報などの端末情報を送信する。第１の基地局３はその端末情報を取得し（ステップＳ３２１）、第２の基地局４がステップＳ４０３で発信した端末情報と一致するか否か判断する（ステップＳ３２２）。一致した情報を持つ携帯端末の場合（ステップＳ３２２で「Ｙｅｓ」）、ステップＳ３２３の処理に進む。一致しない場合（ステップＳ３２２で「Ｎｏ」）、第１の基地局３は新規端末として処理する（ステップＳ３２５）。
【００２２】
携帯端末２は第１の基地局３から送信される信号の品質から、ＣＩＲ値を算出する。携帯端末２はそのＣＩＲ値と閾値ａとを比較する（ステップＳ２４１）。閾値ａに対してＣＩＲ値が大きいもしくは等しい場合（ステップＳ２４１で「Ｙｅｓ」）、携帯端末２は第１の基地局３とダウンロードのための接続を行う（ステップＳ２４２）。そうでない場合は（ステップＳ２４１で「Ｎｏ」）、待受け状態を維持する。
第１の基地局３と無線接続をした携帯端末２は、あらかじめ備えているテーブルを用いて、ＣＩＲ値から対応する予測ＤＲＣ値に置き換え、第１の基地局３に送信する（ステップＳ２４３）。第１の基地局３は、携帯端末２と、第１の基地局３に無線接続している他の端末と、送信された予測ＤＲＣ値に基づいてスケジューリングを行い（ステップＳ３２３）、携帯端末２に最適な伝送レートを決定する。
【００２３】
次に、第１の基地局３は第２の基地局４に、サーバ１から受信したデータを要求する（ステップＳ３２４）。第２の基地局４は、ステップＳ４０２で受信したデータにおけるバックアップデータを第１の基地局３に送る（ステップＳ４０４）。次に第２の基地局４は、携帯端末２の端末情報、バックアップデータ、および自身と第１の基地局３以外の近接している基地局に対し、ステップＳ４０３で発信した端末情報の廃棄処理を行う（ステップＳ４０５）。
以上の動作後、携帯端末２と第１の基地局３は後に述べるダウンロードの継続動作を行う。
【００２４】
次に、ステップＳ３０７におけるダウンロードの継続動作について図６を用いて説明する。この場合、携帯端末２は、前回のダウンロード中に通信を途中切断したため、データが途中までしかダウンロードされていない。一方、第１の基地局３はサーバ１からのデータ送信が完了するまで接続しているので、サーバ１から送信されたデータを全て取得し、バックアップを取っている。
携帯端末２の、第１の基地局３に対するＣＩＲ値が閾値ａを再び上回った場合、またはデータ伝送レートが閾値ｂを再び上回った場合、携帯端末２は第１の基地局３と無線接続し（ステップＳ２７１）、前回ダウンロードの予約を行ったデータのアドレスを第１の基地局３に送信する（ステップＳ２７２）。第１の基地局３は、ステップＳ２７２で送信されたアドレスから、第１の基地局３のバッファに保持している、携帯端末２が未取得のバックアップデータを携帯端末２に送信する（ステップＳ３３１）。
【００２５】
携帯端末２は第１の基地局３からバックアップデータを受信し（ステップＳ２７３）、第１の基地局３からの現在のＣＩＲ値や現在のデータ伝送レートが、それぞれ前回ダウンロード時のＣＩＲ値、データ伝送レートを下回っていないか判断する（ステップＳ２７４）。ＣＩＲ値が前回のＣＩＲ値を上回っている場合、またはデータ伝送レートが前回のデータ伝送レートより高い場合（ステップＳ２７４で「Ｙｅｓ」）、携帯端末２はデータの受信を継続する（ステップＳ２７５）。ＣＩＲ値が前回のＣＩＲ値を下回っている場合、かつデータ伝送レートが前回のデータ伝送レートより低い場合（ステップＳ２７４で「Ｎｏ」）、通信切断処理を行う（ステップＳ２７９）。
第１の基地局３がバックアップデータの送信完了を通知すると（ステップＳ３３２）、その通知を受けて携帯端末２は第１の基地局３からのデータ受信を完了し、第１の基地局３に通知する（ステップＳ２７６）。第１の基地局３は携帯端末２からの通知を受け、携帯端末２との通信を切断し（ステップＳ３３３）、保持していたバックアップデータを廃棄する（ステップＳ３３４）。
携帯端末２は、前回のダウンロードで格納したデータと、今回取得したデータとを結合し１つのデータにする（ステップＳ２７７）。そして、取得したこのデータのダウンロード予約を解除する（ステップＳ２７８）。
【００２６】
以上説明したように、本実施形態によれば、サーバから携帯端末にデータをダウンロードする際に、あらかじめ設定したＣＩＲ値とデータ伝送レートとの閾値を下回った場合、ダウンロードを中止する。よって、携帯端末は期待した通信状態でダウンロードできる。
また、ダウンロードを中止しても、基地局はサーバから引き続きデータを受信してバッファに格納し、携帯端末はそれまで受信したデータを保存するので、ダウンロードを再開したときにデータの続きの部分から携帯端末に送信開始することができる。
また、携帯端末が移動して別の基地局と接続した場合でも、基地局間でデータの移送を行うため、サーバから基地局へ再度ダウンロードを行わなくてもよい。
【００２７】
以上、本発明の実施形態について図面を参照して詳述してきたが、具体的な構成はこの実施形態に限られるものではなく、本発明の要旨を逸脱しない範囲の設計変更等も含まれる。
【００２８】
例えば、上記実施形態における携帯電話機の代わりに、無線通信機能を備えた携帯型パーソナル・コンピュータ又はＰＤＡ（Ｐｅｒｓｏｎａｌ  Ｄｉｇｉｔａｌ  Ａｓｓｉｓｔａｎｃｅ）に本発明を適用してもよい。
【００２９】
【発明の効果】
以上の説明で明らかなように、本発明によれば、測定した現在の通信品質値が、記憶された通話品質のしきい値より下回った場合、携帯通信端末はデータのダウンロードを中断する。よって、あらかじめ期待した高い通信品質のみでダウンロードを行うことができ、ダウンロードに要する時間を最短にすることで、電力の消費を抑えることができる。
また、中断したダウンロードを再開する際に、中断ポイントからデータの再送要求を行うので、先に取得したデータが無駄にならず、二重に課金されることもない。
【図面の簡単な説明】
【図１】本発明の一実施形態に係る無線通信システムの概略構成を示すブロック図である。
【図２】同実施形態における携帯端末２と第１の基地局３との接続の動作を示すフローチャートである。
【図３】同実施形態におけるデータのダウンロードを行う動作を示すフローチャートである。
【図４】同実施形態における通信切断処理の動作を示すフローチャートである。
【図５】同実施形態における基地局追従動作を示すフローチャートである。
【図６】同実施形態におけるダウンロードの継続動作を示すフローチャートである。
【図７】同実施形態における携帯端末２の概略構成を示すブロック図である。
【符号の説明】
１…サーバ、２…携帯端末、３…第１の基地局、４…第２の基地局
【図１】
2004297479.tif 000003
【図２】
2004297479.tif 000004
【図３】
2004297479.tif 000005
【図４】
2004297479.tif 000006
【図５】
2004297479.tif 000007
【図６】
2004297479.tif 000008
【図７】
2004297479.tif 000009